(57)【要約】【課題】グローブにおける結露を抑制する照明器具を提供する。【解決手段】照明器具１０は、筒状の器具本体２０と、器具本体２０に収容される光源部３０と、器具本体２０の一端部を覆う透光性のグローブ４０と、器具本体２０からグローブ４０への空気の移動を遮断する透光性の仕切部とを備える。グローブ４０は、第２底部４１４を有する筒状であり、仕切部は、グローブ４０の第２底部４１４である。また、第２底部４１４は、光を拡散する拡散部４１８を有する。【選択図】図３
2019192438.tif 000002
【特許請求の範囲】
【請求項１】
筒状の器具本体と、
前記器具本体に収容される光源部と、
前記器具本体の一端部を覆う透光性のグローブと、
前記器具本体から前記グローブへの空気の移動を遮断する透光性の仕切部とを備える、照明器具。
【請求項２】
前記グローブは、底部を有する筒状であり、
前記底部が前記仕切部である、請求項１に記載の照明器具。
【請求項３】
前記器具本体は、前記一端部に第１ねじ部を有し、
前記グローブは、前記第１ねじ部に螺合する第２ねじ部を有する、請求項１又は請求項２に記載の照明器具。
【請求項４】
前記仕切部は、光を拡散する拡散部を有する、請求項１から請求項３の何れか一項に記載の照明器具。
【請求項５】
前記グローブは、内部に、光を反射する第１反射部を有する、請求項１から請求項４の何れか一項に記載の照明器具。
【請求項６】
前記グローブの前記器具本体と反対側に、前記グローブを覆い前記グローブの側方に突出するカバーを備え、
前記カバーは、前記器具本体側に、前記グローブからの出射光を反射する第２反射部を有する、請求項１から請求項５の何れか一項に記載の照明器具。
【請求項７】
前記グローブは、前記器具本体と反対側に第３ねじ部を有し、
前記カバーは、前記第３ねじ部に螺合する第４ねじ部を有する、請求項６に記載の照明器具。
【発明の詳細な説明】
【技術分野】
【０００１】
本発明は、照明器具に関する。
【背景技術】
【０００２】
従来、屋外で地面に設置されるポール型の照明器具が知られている。例えば、特許文献１には、ポールと、ポール内に配置された光源部と、ポール上部に取り付けられた透明なグローブと、グローブ内に配置された反射板とを備えた照明器具が開示されている。この構成によれば、光源部からの光が反射板で反射することによって、グローブからポールの周辺に間接光が照射される。
【０００３】
また特許文献１では、ポールの下部に水抜き穴を設けることで、グローブとポールとの隙間から雨水等がポール内に侵入しても水抜き穴から排水される構成としている。
【先行技術文献】
【特許文献】
【０００４】
【特許文献１】特開平４−１３７３０４号公報
【発明の概要】
【発明が解決しようとする課題】
【０００５】
しかしながら、特許文献１の技術では、水抜き穴によってポール内外が連通しており、ポールとグローブも連通しているため、外気温が低い場合、ポール内に流入した湿気を含んだ空気が光源部で温められて上昇し、グローブ内に流入する。そして、グローブ内に流入した湿気を含んだ空気は、低い外気温によってグローブ内で冷やされ、グローブの内面に結露を生じさせるおそれがある。グローブの透明部分に結露が生じると、ユーザから結露が見えるため美観が損なわれるという問題がある。
【０００６】
そこで、本発明は、上記課題に鑑みてなされたものであり、グローブにおける結露を抑制する照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
筒状の器具本体と、
前記器具本体に収容される光源部と、
前記器具本体の一端部を覆う透光性のグローブと、
前記器具本体から前記グローブへの空気の移動を遮断する透光性の仕切部とを備えるものである。
【０００９】
本願に開示する照明器具において、
前記グローブは、底部を有する筒状であり、
前記底部が前記仕切部であることが好ましい。
【００１０】
本願に開示する照明器具において、
前記器具本体は、前記一端部に第１ねじ部を有し、
前記グローブは、前記第１ねじ部に螺合する第２ねじ部を有することが好ましい。
【００１１】
本願に開示する照明器具において、
前記仕切部は、光を拡散する拡散部を有することが好ましい。
【００１２】
本願に開示する照明器具において、
前記グローブは、内部に、光を反射する第１反射部を有することが好ましい。
【００１３】
本願に開示する照明器具において、
前記グローブの前記器具本体と反対側に、前記グローブを覆い前記グローブの側方に突出するカバーを備え、
前記カバーは、前記器具本体側に、前記グローブからの出射光を反射する第２反射部を有することが好ましい。
【００１４】
本願に開示する照明器具において、
前記グローブは、前記器具本体と反対側に第３ねじ部を有し、
前記カバーは、前記第３ねじ部に螺合する第４ねじ部を有することが好ましい。
【発明の効果】
【００１５】
本発明の照明器具によれば、器具本体からグローブへの空気の移動を遮断する透光性の仕切部を備えることにより、グローブにおける結露を抑制することができる。
【図面の簡単な説明】
【００１６】
【図１】本発明の一実施形態に係る照明器具の上面側の斜視図である。
【図２】本発明の一実施形態に係る照明器具の側面図である。
【図３】図２のＡ−Ａ断面拡大図である。
【図４Ａ】グローブとカバーと取付部とを示す上面側の斜視図である。
【図４Ｂ】グローブとカバーと取付部とを示す下面側の斜視図である。
【図５Ａ】グローブとカバーと取付部とを示す上面側の分解斜視図である。
【図５Ｂ】グローブとカバーと取付部とを示す下面側の分解斜視図である。
【発明を実施するための形態】
【００１７】
本発明の実施形態に係る照明器具について、図１から図５を用いて説明する。本実施形態に係る照明器具１０は、屋外で地面Ｇに設置されるポール型の照明器具であり、いわゆるポール灯である。以下の説明では、照明器具１０が地面Ｇに設置された状態における上下方向を、照明器具１０の「上下方向」とし、照明器具１０の上下方向に直交する方向を照明器具１０の「側面方向」又は「径方向」として説明する。また、本実施形態の説明において、側面方向から照明器具１０等を見た状態を側面視とする。照明器具１０等の断面形状を見た状態を断面視とする。
【００１８】
図１は照明器具１０の上面側の斜視図、図２は照明器具１０の側面図、図３は図２のＡ−Ａ断面拡大図である。図４Ａはグローブ４０とカバー５０と取付部２２とを示す上面側の斜視図、図４Ｂはグローブ４０とカバー５０と取付部２２とを示す下面側の斜視図である。図５Ａはグローブ４０とカバー５０と取付部２２とを示す上面側の分解斜視図、図５Ｂはグローブ４０とカバー５０と取付部２２とを示す下面側の分解斜視図である。
【００１９】
図１から図３に示すように、照明器具１０は、器具本体２０と、光源部３０と、グローブ４０と、カバー５０とを備える。器具本体２０は、光源部３０及びグローブ４０を支持する円筒状の部材である。なお、器具本体２０の形状は筒状であればよく、例えば、角筒状であってもよい。また、上方向又は下方向に向かってテーパー形状を有していてもよい。
【００２０】
図３に示すように、器具本体２０は、筒部２１と、取付部２２とを備える。筒部２１は、光源部３０を収容可能な径を有する円筒状の部材である。筒部２１の上下方向の長さは、地中に埋め込まれる部分を考慮し、使用環境に合わせて適宜設計することができる。
【００２１】
筒部２１の上端部の側面には、２つの孔２１１が互いに対向する位置に形成されている。孔２１１は、取付部２２を取り付けるためのねじ２２５を挿通する穴である。図１及び図２に示すように、筒部２１の下端部付近の側面にも２つの孔２１２が互いに対向する位置に形成されている。孔２１２は、光源部３０の配線（図示せず）を挿通する穴である。図２に示すように、孔２１２は、照明器具１０を設置した場合に、地面Ｇより下に位置するように設けられている。これにより、孔２１２から出ている配線を地中に埋設でき、照明器具１０周辺の配線を隠すことができる。
【００２２】
筒部２１は、光源部３０、グローブ４０及びカバー５０を支持可能な耐久性と、屋外に設置可能な耐候性とを考慮して設計される。筒部２１を構成する材料としては、例えば、アルミニウムやアルミニウム合金、鉄や鉄合金等の金属材料、樹脂材料、もしくはそれらの組み合わせなどとすることができる。本実施形態の筒部２１は、アルミニウムの成型品に黒色で塗装したものである。本実施形態の筒部２１では黒色に塗装したが、その他の色に塗装しても良い。また、必ずしも塗装を行う必要はなく、例えば、筒部２１の外周面にフィルム材などを貼り付けることもできる。
【００２３】
図３から図５に示すように、取付部２２は、光源部３０及びグローブ４０を取り付けるための部材であり、筒部２１の一端部である上端部に設けられる。取付部２２は、円環状の部材であり、円環部２２１と、フランジ部２２２とを有する。円環部２２１は、略円筒状の部分であり、その外周面は筒部２１の上端部の内周面に嵌合する。また、円環部２２１の内周面には、グローブ４０の第２ねじ部４１６に螺合する第１ねじ部２２３が形成されている。本実施形態において、第１ねじ部２２３は雌ねじである。なお、第１ねじ部２２３は、第２ねじ部４１６と螺合できればよく、例えば、円環部２２１から上方へ突出した部分の外周面に形成される雄ねじであってもよい。
【００２４】
円環部２２１の側面には、筒部２１の２つの孔２１１と重なる位置に２つのねじ穴２２４が形成されている。取付部２２は、孔２１１に挿通されてねじ穴２２４に螺合される２つのねじ２２５によって筒部２１に固定される。
【００２５】
フランジ部２２２は、円環部２２１の上端部から側方へ突出する円環状の部分である。フランジ部２２２は、筒部２１の上端部で支持される。これにより、取付部２２を筒部２１の上端部に位置決めすることができる。フランジ部２２２の外径は筒部２１の外径と等しくなるように形成されている。これにより、フランジ部２２２の側面と筒部２１の側面とが面一になり、外観の美観が向上する。
【００２６】
取付部２２を構成する材料としては、筒部２１を構成する材料と同様の材料を用いることができるが、筒部２１を構成する材料とは必ずしも一致していなくてもよい。本実施形態の取付部２２は、アルミニウムの一体成型品に黒色で塗装したものである。本実施形態の取付部２２では黒色に塗装したが、必ずしも塗装を行う必要はない。例えば、その他の色に塗装、若しくは、塗装しなくても良い。
【００２７】
図３に示すように、光源部３０は、器具本体２０に収容され、上方に向けて光を出射する部材である。光源部３０は、光源保持部３１と、ソケット３２と、基板３３と、光源としてのＬＥＤ（Ｌｉｇｈｔ  Ｅｍｉｔｔｉｎｇ  Ｄｉｏｄｅ）電球３４とを備える。光源保持部３１は、ソケット３２を保持する部材であり、取付部２２の下端部にねじ（図示せず）で固定されることで吊り下げられている。光源保持部３１を構成する材料としては、筒部２１を構成する材料と同様の材料を用いることができるが、筒部２１を構成する材料とは必ずしも一致していなくてもよい。本実施形態の光源保持部３１は、アルミニウムの板金部材である。
【００２８】
基板３３は、光源保持部３１の下端部に、ねじ３３１で固定される。基板３３には外部電源に繋がる配線（図示せず）が接続される。ソケット３２は、基板３３の上面に実装される。ＬＥＤ電球３４は、ソケット３２に螺合され、上向きに固定される。これにより、外部電源からＬＥＤ電球３４に電流が供給され、ＬＥＤ電球３４は上方に向けて光を出射する。
【００２９】
なお、本実施形態では光源としてＬＥＤ電球３４を用いたが、光源の種類には特に限定はなく、他の光源を用いてもよい。例えば、表面実装型やチップオンボード型のＬＥＤ素子、有機ＥＬ素子などを搭載した発光モジュールを用いてもよい。
【００３０】
図３及び図５に示すように、グローブ４０は、器具本体２０の上端部を覆い、周囲に光を出射する部材である。グローブ４０は、有底円筒部４１と、第１反射部４２とを備える。有底円筒部４１を構成する材料としては、透光性を有する材料が用いられ、例えば、透明又は乳白色の樹脂が用いられる。本実施形態の有底円筒部４１は、透明なアクリル樹脂の一体成型品である。なお、有底円筒部４１には、様々な機能を付与する添加剤や着色剤等を含有させることができる。例えば、酸化防止剤、紫外線吸収剤、難燃剤、防汚剤等を含有させることができる。
【００３１】
有底円筒部４１は、第１筒部４１１と、第１筒部４１１の下端部に形成される第１底部４１２と、第１底部４１２から下方へ延びる第２筒部４１３と、第２筒部４１３の底面を覆う第２底部４１４とを有する。第１筒部４１１は、円筒状であり、周囲に光を出射する部分である。第１筒部４１１の外径は器具本体２０の外径と等しくなるように形成されている。これにより、第１筒部４１１の側面と器具本体２０の側面とが面一になり、外観の美観が向上する。第１筒部４１１の上端部の外周面には、カバー５０の第４ねじ部５４に螺合する第３ねじ部４１５が形成されている。本実施形態において、第３ねじ部４１５は雄ねじである。なお、第３ねじ部４１５は、第４ねじ部５４と螺合できればよく、例えば、第１筒部４１１の上端部の内周面に形成される雌ねじであってもよい。また、第１筒部４１１の上端部の内周側には、第１反射部４２のフランジ部４２２を支持する円環状の溝部４１７が形成されている。
【００３２】
第１底部４１２は、第１筒部４１１の下端部から内側へ向かって径方向に延びる円環状の部分であり、取付部２２のフランジ部２２２の上面に密接する。第２筒部４１３は、第１底部４１２の内縁部分から下方へ延びる円筒状の部分である。第１底部４１２の外周面には、取付部２２の第１ねじ部２２３に螺合する第２ねじ部４１６が形成されている。これにより、照明器具１０の組み立て工程において、有底円筒部４１を器具本体２０に螺合させることによって簡単に組み付けることができる。本実施形態において、第２ねじ部４１６は雄ねじである。なお、第２ねじ部４１６は、第１ねじ部２２３と螺合できればよく、例えば、第１底部４１２の内縁部分から上方へ延びる円筒状の第２筒部を形成し、その第２筒部の外周面に形成される雄ねじであってもよい。
【００３３】
第２底部４１４は、第２筒部４１３の底面を覆い径方向に延びる円板状の部分である。第２底部４１４は、器具本体２０からグローブ４０への空気の移動を遮断する透光性の仕切部の一例である。本実施形態の有底円筒部４１は一体成型品であるため、グローブ４０内には器具本体２０からの空気は流入しない。また、有底円筒部４１を一体成型品とすることにより、部品点数が少なくなり、組み立ての工程数を少なくできるとともに、コストを削減できる。
【００３４】
また、第２底部４１４は、ＬＥＤ電球３４に対向し、ＬＥＤ３４からの出射光を透過してグローブ４０内に導く部分である。第２底部４１４には、グレアを低減するために光を拡散する拡散部４１８が設けられている。拡散部４１８の形態には特に限定はなく、各種レンズや各種表面加工を用いることができる。本実施形態の拡散部４１８は、第２底部４１４の上面に形成された微細な凹凸からなる拡散レンズである。
【００３５】
また本実施形態の第２底部（仕切部）４１４は、第１筒部４１１よりも下方の、器具本体２１（取付部２２）の内部に配置される。第２底部（仕切部）４１４は、器具本体２１から露出している第１筒部４１１よりも光源部３０と近接した位置に配置されるため、比較的に輝度の高い部分となる。本実施形態の第２底部（仕切部）４１４の位置は、器具本体２１の内部に位置するため、外部から輝度の高い面を視認しにくく、好ましい。
【００３６】
第１反射部４２は、第１筒部４１１の内部に配置される略円錐台形状のリフレクターである。第１反射部４２は、反射部４２１と、フランジ部４２２とを有する。第１反射部４２を構成する材料としては、例えば、アルミニウムやアルミニウム合金、鉄や鉄合金等の金属材料、樹脂材料、もしくはそれらの組み合わせなどとすることができる。本実施形態の第１反射部４２は、鉄板のへら絞り加工品に白色で塗装したものである。
【００３７】
反射部４２１は、上方へ向かって拡がる円錐台形状の部分である。反射部４２１の下側の面は、光源部３０から出射される光を第１筒部４１１へ向けて反射する反射面となっている。したがって、反射部４２１の下側の面には、光を反射させやすくするために、白色等の塗装や鏡面加工等の加工を施すことが好ましい。なお、光源部３０から出射される光を第１筒部４１１へ向けて反射することができれば、反射部４２１の形状には特に限定はなく、角錐台形状、放物面等の曲面形状などであってもよい。
【００３８】
また本実施形態の反射部４２１では、光源部３０から出射された光をグローブ４０の第１筒部４１１の全周側に向けて照射させるために、光源部３０の光軸を中心とする回転体形状に形成したが、これに限られない。例えば、反射部４２１を回転体形状に形成せずに、グローブ４０の第１筒部４１１の一方側に光を反射するように形成しても良い。
【００３９】
フランジ部４２２は、反射部４２１の上端部から側方へ突出する円環状の部分である。フランジ部４２２は、第１筒部４１１の溝部４１７に嵌った状態で支持される。これにより、第１反射部４２を第１筒部４１１の上端部に位置決めすることができる。
【００４０】
このように、第１筒部４１１の内部に第１反射部４２を配置することにより、グローブ４０の周囲に照射される光は間接光となる。
【００４１】
カバー５０は、グローブ４０の上端部を覆い、グローブ４０からの出射光を周囲に反射する部材である。カバー５０は、円板部５１と、外側円環部５２と、内側円環部５３と、第４ねじ部５４と、第２反射部５５とを備える。円板部５１は、グローブ４０の上端部を覆い、側方へ突出する円板状の部分である。円板部５１の外径はグローブ４０の第１筒部４１１の外径より大径に形成されている。なお、円板部５１の外形の形状には特に限定はなく、楕円形や多角形であってもよい。
【００４２】
外側円環部５２は、円板部５１の外縁部分から下方へ突出する円環状の部分である。内側円環部５３は、外側円環部５２の内側に形成され、円板部５１の下面から下方へ突出する円環状の部分である。内側円環部５３の内周面には、グローブ４０の第３ねじ部４１５に螺合する第４ねじ部５４が形成されている。第４ねじ部５４が第３ねじ部４１５に螺合することにより、カバー５０は第１反射部４２を押さえるとともにグローブ４０に固定される。また、照明器具１０の組み立て工程において、カバー５０をグローブ４０に螺合させることによって簡単に組み付けることができる。本実施形態において、第４ねじ部５４は雌ねじである。なお、第４ねじ部５４は、第３ねじ部４１５と螺合できればよく、例えば、内側円環部５３の外周面に形成される雄ねじであってもよい。
【００４３】
第２反射部５５は、円板部５１の下面における外側円環部５２と内側円環部５３との間に形成されたリフレクターである。第２反射部５５は、径方向において内側から外側へ高くなるように傾斜している。これにより、グローブ４０からの出射光は第２反射部５５で斜め下方へ向かって反射される。よって、第２反射部５５で反射された光は、器具本体２０の周囲の地面Ｇに照射される。なお、第２反射部５５の形状には特に限定はなく、光の拡散性を向上させるために階段状の段差形状などとしてもよい。
【００４４】
カバー５０を構成する材料としては、例えば、アルミニウムやアルミニウム合金、鉄や鉄合金等の金属材料、樹脂材料、もしくはそれらの組み合わせなどとすることができる。第２反射部５５には、光を反射させやすくするために、白色等の塗装や鏡面加工等の加工を施すことが好ましい。本実施形態のカバー５０は、アルミニウムの一体成型品であり、第２反射部５５を白色で塗装し、それ以外を黒色で塗装したものである。本実施形態のカバー５０では第２反射部５５以外を黒色に塗装したが、その他の色に塗装しても良い。また、必ずしも塗装を行う必要はなく、例えば、カバー５０の表面にフィルム材などを貼り付けることもできる。また、カバー５０を円板部５１と反射部５５を一体成型せずに別体で形成して、組み合わせても良い。
【００４５】
このような照明器具１０によれば、ＬＥＤ電球３４から出射した光は、第２底部４１４を透過してグローブ４０内に入射し、第１反射部４２で反射し、第１筒部４１１からグローブ４０の外部へ出射し、照明器具１０の周囲に照射される。また、第１筒部４１１からグローブ４０の外部へ出射した光の一部は、カバー５０の第２反射部５５で反射し、照明器具１０の周囲の地面Ｇに照射される。
【００４６】
上記の照明器具１０によれば、ＬＥＤ電球３４が発熱することによって、ＬＥＤ電球３４の周囲の空気が暖められ、暖められた空気は筒部２１内を上昇し、グローブ４０の第２底部４１４に到達する。第２底部４１４に到達した空気は、第２底部４１４で遮断され、グローブ４０へ移動せずに筒部２１内で対流する。よって、グローブ４０内には暖められた空気が流入しないため、グローブ４０内の温度はほとんど上昇せず、グローブ４０の内面における結露の発生が抑制される。したがって、グローブ４０の第１筒部４１１に生じる結露によってグローブ４０の内面に、曇りや水垢、カビが付着することを防止でき、照明器具１０の美観が損なわれることを抑制できる。
【００４７】
なお、器具本体２０からグローブ４０への空気の移動を遮断する透光性の仕切部を、上記の実施形態ではグローブ４０の第２底部４１４としたが、これに限定されることはない。例えば、仕切部として、取付部２２の円環部２２１の下端部に、円環部２２１の底面を覆う透光性の円板状の部材を接着等によって密着させてもよい。この場合、グローブ４０の第２底部４１４はなくてもよい。このように、仕切部は、グローブ４０に設けてもよいし、器具本体２０に設けてもよい。
【００４８】
また、上記の照明器具１０においてＬＥＤ電球３４を取り替える際には、筒部２１の側面の２つのねじ２２５を取り外し、カバー５０とグローブ４０と取付部２２と光源部３０とが一体となった部品を上方へ引き抜くことで、光源部３０を筒部２１から取り出すことができる。
【００４９】
また、上記の照明器具１０では、ＬＥＤ電球３４の光軸に沿う方向である光軸方向が、照明器具１０の上下方向に一致し、光軸が器具本体２０の中心軸と一致している。なお、光軸方向が照明器具１０の上下方向に一致しない形態、光軸が器具本体２０の中心と一致していない形態でもよい。
【００５０】
また、上記の照明器具１０において、第２反射部５５をなくした形態としてもよい。例えば、外側円環部５２及び第２反射部５５をなくし、円板部５１の径を内側円環部５３まで小さくした形態とすることができる。さらに、第２反射部５５に加えて第１反射部４２もなくした形態としてもよい。この場合、小さくした円板部５１を透光性の部材で形成することにより、円板部５１の上方へ光を照射することができる。
【符号の説明】
【００５１】
１０    照明器具
２０    器具本体
３０    光源部
４０    グローブ
４２    第１反射部
５０    カバー
５４    第４ねじ部
５５    第２反射部
２２３  第１ねじ部
４１４  第２底部（仕切部）
４１５  第３ねじ部
４１６  第２ねじ部
４１８  拡散部
【図１】
2019192438.tif 000003
【図２】
2019192438.tif 000004
【図３】
2019192438.tif 000005
【図４Ａ】
2019192438.tif 000006
【図４Ｂ】
2019192438.tif 000007
【図５Ａ】
2019192438.tif 000008
【図５Ｂ】
2019192438.tif 000009